(57)【要約】      （修正有）【課題】ミスアライメントによる皺の発生を防止できるガイドロールを提供する。【解決手段】ガイドロール１０の表面に、ウエブＷに対する滑り止め加工が施された滑り止め加工部１６、１６が、一又は複数の間隙２０を介して複数形成され、かつ、複数の前記滑り止め加工部１６、１６が前記ガイドロール１０の幅方向の中心に関して左右対称に形成され、前記滑り止め加工部１６、１６以外の表面が平滑に形成されている。【選択図】図２
2011245411.tif 000002
【特許請求の範囲】
【請求項１】
ガイドロールの表面に、ウエブに対する滑り止め加工が施された滑り止め加工部が、一又は複数の間隙を介して複数形成され、かつ、複数の前記滑り止め加工部が前記ガイドロールの幅方向の中心に関して左右対称に形成され、
前記滑り止め加工部以外の表面が平滑に形成されている、
ことを特徴とするガイドロール。
【請求項２】
前記各滑り止め加工部に対応したそれぞれの臨界スキュー角が、ミスアライメントより大きい、
ことを特徴とする請求項１に記載のガイドロール。
【請求項３】
前記間隙が、１ｃｍ〜１０ｃｍである、
ことを特徴とする請求項１に記載のガイドロール。
【請求項４】
前記滑り止め加工が、梨地状加工、又は、溝加工である、
ことを特徴とする請求項１に記載のガイドロール。
【請求項５】
前記両側部の表面は、平滑なメッキ加工が施されている、
ことを特徴とする請求項１に記載のガイドロール。
【請求項６】
前記ガイドロールの材質が、金属製、又は、樹脂を含浸させたカーボンファイバーである、
ことを特徴とする請求項１に記載のガイドロール。
【発明の詳細な説明】
【技術分野】
【０００１】
本発明は、ウエブを搬送するためのガイドロールに関するものである。
【背景技術】
【０００２】
布帛、フィルム、金属箔、紙などの長尺状のウエブに塗工液を塗工する塗工装置や、ウエブを加熱して熱処理を行う熱処理装置においては、ウエブを安定して搬送させるガイドロールを用いている。
【０００３】
本出願人は、このウエブとガイドロールとの間の滑りを防止して皺の発生を防止するガイドロール１００を提案した（特許文献１参照）。図９に示すように、このガイドロール１００は、ガイドロール１００の中央表面のみに、ウエブに対する滑り止め加工部１０２を形成し、その中央以外の両側部１０４，１０４の表面は平滑にしている。
【先行技術文献】
【特許文献】
【０００４】
【特許文献１】特開２００８−６２２３８号公報
【発明の概要】
【発明が解決しようとする課題】
【０００５】
しかし、上記ガイドロール１００においても、当該ガイドロール１００と、一つ手前のガイドロールとの間にミスアライメント（両軸心の角度誤差）が生じている場合には、ガイドロール１００の中央表面に滑り止め加工部１０２を形成しても、ミスアライメントによって皺が発生する問題点があった。
【０００６】
そこで、本発明は上記問題点に鑑み、ミスアライメントによる皺の発生を防止できるガイドロールを提供する。
【課題を解決するための手段】
【０００７】
本発明は、ガイドロールの表面に、ウエブに対する滑り止め加工が施された滑り止め加工部が、一又は複数の間隙を介して複数形成され、かつ、複数の前記滑り止め加工部が前記ガイドロールの幅方向の中心に関して左右対称に形成され、前記滑り止め加工部以外の表面が平滑に形成されている、ことを特徴とするガイドロールである。
【発明の効果】
【０００８】
本発明によれば、複数の滑り止め加工部を設けることにより、ミスアライメントによる皺の発生を防止できる。
【図面の簡単な説明】
【０００９】
【図１】本発明に一実施例におけるガイドロールの平面図である。
【図２】ガイドロールを用いてウエブを搬送する説明図である。
【図３】皺の拡大図である。
【図４】変更例１のガイドロールの平面図である。
【図５】変更例２のガイドロールの平面図である。
【図６】変更例３のガイドロールの平面図である。
【図７】変更例４のガイドロールの平面図である。
【図８】変更例５のガイドロールの平面図である。
【図９】従来のガイドロールの平面図である。
【発明を実施するための形態】
【００１０】
以下、本発明の一実施例のガイドロール１０について、図１〜図３に基づいて説明する。
【００１１】
本実施例のガイドロール１０は、図１に示すように、紙、布帛、金属箔、フィルムなどのウエブＷを搬送するためのガイドロール１０であって、ガイドロール１０自身は駆動せず、ウエブＷの力によって回転する他動式である。
【００１２】
また、ガイドロール１０は、図２に示すように、ウエブＷの搬送路上に設けられ、１つ手前のガイドロール２２から送られてきたウエブＷを他の方向に回転させて搬送する。なお、このガイドロール１０とガイドロール２２との間には、ミスアライメントθが有るものとする。ここで「ミスアライメントθ」とは、図２に示すように、ガイドロール１０の軸心とガイドロール２２の軸心の角度誤差θを意味する。
【００１３】
（１）ガイドロール１０の構成
図１に示すように、ガイドロール１０は、円柱状のロール本体１２の両端部から左右一対の軸１４，１４が突出している。ガイドロール１０の材質は、樹脂含浸を行ったカーボンファイバー、又は、金属製である。ガイドロール１０の直径は、７０〜２００ｍｍ（好適には、１００ｍｍ〜１５０ｍｍである）であり、全幅Ｍ０＝２５０ｍｍ〜５ｍ（好適には１．５〜３ｍである）である。
【００１４】
このロール本体１２の表面には、２個の滑り止め加工部１６，１６が間隙２０を介して設けられている。滑り止め加工部１６，１６は、螺旋状の溝を刻設することによって滑り止めを行う。滑り止め加工部１６，１６は、ガイドロール１０の幅方向における中心に関して左右対称に設けられている。滑り止め加工部１６，１６の幅方向の長さＭ１，Ｍ２の合計Ｍ１＋Ｍ２＝Ｍは、ロール本体１２の全幅をＭ０とした場合、ＭはＭ０に対し２０〜７０％、好適には４０〜６０％である。これにより、ウエブＷとガイドロール１０との間の滑りを防止して皺の発生を防止できる。
【００１５】
ガイドロール１０の滑り止め加工部１６，１６に対応した各臨界スキュー角θｃｒがミスアライメントθより大きく設定されている。これにより、ミスアライメントθによる皺が発生しない。この理由については後から説明する。
【００１６】
ガイドロール１０の滑り止め加工部１６，１６以外の両側部１８，１８と、２個の滑り止め加工部１６，１６の間にある間隙２０には、平滑なメッキ加工がそれぞれ施されている。間隙２０の幅方向の長さは、１〜１０ｃｍである。
【００１７】
（３）２個の滑り止め加工部１６，１６を設ける理由
次に、本発明者が、２個の滑り止め加工部１６，１６を設ける構成に至った理由、すなわち、本実施例のガイドロール１０において、２個の滑り止め加工部１６，１６を設けることによって、ミスアライメントθによる皺が発生しない理由について以下説明する。
【００１８】
まず、ガイドロール１０上のウエブＷの限界座屈応力について説明する。ガイドロール１０上のウエブＷの限界座屈応力σｚｃｒは、次の（１）式で表される。
【００１９】
σｚｃｒ＝Ｌ２／（ｉ２×ａ２）｛σｃ（１＋ξ１ｉ４ａ４／Ｌ４＋ξ２ｉ２ａ２／Ｌ２）−σｘ｝    ・・・（１）
上記の（１）式中の各符号は次の（１−１）式から（１−６）式で表される。
【００２０】
σｘ＝−Ｔ／ｔｆ    ・・・（１−１）
σｃ＝π２×DＸＸ／（ａ２×ｔｆ）    ・・・（１−２）
ξ１＝ＥＺ／ＥＸ、    ・・・（１−３）
ξ２＝４（１−νＸνＺ）／｛１＋νＸ＋（１＋νＺ）／ξ１｝＋νＺ＋νＸξ１
・・・（１−４）
ＤＸＸ＝ＥＸｔｆ３／｛１２×（１−νＸνＺ）｝    ・・・（１−５）
ＤＺＺ＝ＥＺｔｆ３／｛１２×（１−νＸνＺ）｝    ・・・（１−６）、
但し、ＥＸは幅方向でのヤング率、ＥＺは走行方向でのヤング率、ＬはウエブＷの幅、Ｔは単位幅上の張力値、ｔｆはウエブＷの厚み、νＸは走行方向でのポアソン比、νＺは幅方向でのポアソン比、ａはロール間のスパン長である。
【００２１】
そして、（１）式中のｉは次の（２）式の条件を満たす整数値である。
【００２２】
σｃ｛１−ｉ２（ｉ+１）２ξ１×ａ４／Ｌ４｝＜σｘ＜σｃ｛１−（ｉ−１）２ξ１×ａ４／Ｌ４｝    ・・・（２）
皺発生時の臨界剪断応力τｃｒは、次の（３）式で表される。
【００２３】
τｃｒ＝√（σｚｃｒ２−σｘ×σｚｃｒ）    ・・・（３）
臨界剪断応力τｃｒによるウエブＷの臨界スキュー角θｃｒは、次の（４）式で表される。ここで「ウエブＷの臨界スキュー角θｃｒ」とは、臨界剪断応力τｃｒによる剪断皺がウエブＷに発生しないミスアライメントθに対応した最大角度を意味する。
【００２４】
θｃｒ＝６ａ２τｃｒ／（ＥＸ×Ｌ２）    ・・・（４）
ウエブＷ上の剪断皺の発生条件としては、次の（５）式を満たす必要がある。
【００２５】
θ＞θｃｒ    ・・・（５）
次に、ウエブＷの幅Ｌと臨界スキュー角θｃｒの具体的な関係について、上記（１）式〜（４）式を用いた計算例で説明する。
【００２６】
第１の計算例では、ウエブＷの幅Ｌ＝１０００ｍｍ、ウエブＷの厚みｔｆ＝４０μｍ、ポアソン比νＸ＝νｚ＝０．３、ヤング率ＥＸ＝Ｅｚ＝２．５（ＧＰａ）、スパンａ＝１０００ｍｍ、ウエブＷの張力Ｔ＝４００Ｎ／ｍとすると、θｃｒ＝０．０４７７３（°）となる。
【００２７】
第２の計算例では、ウエブＷの幅Ｌ＝５００ｍｍ、ウエブＷの厚みｔｆ＝４０μｍ、ポアソン比νＸ＝νｚ＝０．３、ヤング率ＥＸ＝Ｅｚ＝２．５（ＧＰａ）、スパンａ＝１０００ｍｍ、ウエブＷの張力Ｔ＝４００Ｎ／ｍとすると、θｃｒ＝０．１９０９８４（°）となる。
【００２８】
２つの計算結果よりウエブＷの幅Ｌが小さい方が、ウエブＷの臨界スキュー角θｃｒは大きいことがわかる。材料力学の観点からみれば、ウエブＷの幅Ｌが小さくなることによって、幅方向上の２次モーメント値は小さくなる。それによって同じスキュー角に対し、狭いウエブＷの幅の方で生じた剪断応力は小さくてすむからである。そのため、狭い幅のウエブＷの方はより大きな臨界スキュー角θｃｒとなる。
【００２９】
一方、ガイドロールの回転中で、ウエブＷとガイドロールの運動によって、ウエブＷとガイドロールの間に空気膜層が形成される。空気層の厚みによって、ウエブＷとガイドロール間の接触状態が変化する。ウエブＷとガイドロール間の接触状態の変化によって、ガイドロールとウエブＷ間の摩擦係数は低下し、ガイドロールを回転する必要な駆動力を確保できないこともありうる。そのとき、ガイドロールとウエブＷの間にスリップが発生し、ウエブＷに損傷を与えることになる。
【００３０】
ガイドロールとウエブＷ間のスリップを避け、ガイドロールとウエブＷ間の摩擦力を確保するために、ガイドロール表面に滑り止め加工が行われる。但し、ガイドロールとウエブＷ間の摩擦力が大きすぎると皺の発生原因になる。そこで、特許文献１に示すように、その皺の発生を防止するために、図９に示すように、ガイドロール１００の中央表面に滑り止め加工部１０２を設けた。
【００３１】
しかし、特許文献１のガイドロール１００では、中央表面に滑り止め加工部１０２を設けているため、ウエブＷとガイドロール１００の接触部分は１つ連続的な区域となる。したがって、上記で説明したように、この中央にある滑り止め加工部１０２とウエブＷとが接触することによる臨界スキュー角θｃｒが小さくなる。そのため、この臨界スキュー角θｃｒがミスアライメントθより小さくなって皺が発生しやすくなる。なお、この場合に滑り止め加工部１０２以外の両側部１０４，１０４は平滑加工が施されているので、この両側部１０４，１０４とウエブＷとは滑り、臨界スキュー角θｃｒに影響を与えない。
【００３２】
そこで、本実施例では、ガイドロール１０の表面の滑り止め加工部１６，１６の総加工面積を特許文献１における滑り止め加工部１０２と変化させずに、かつ、ウエブＷの走行方向上の中心線に対し、左右対称に２個の滑り止め加工部１６，１６を設けて、接触幅を分割している。この分割することによって、１個当りの滑り止め加工部１６の接触幅は小さくなって、各滑り止め加工部１６に対応した臨界スキュー角θｃｒが、ガイドロール１０，２２間のミスアライメントθより大きくなり、皺が発生しにくくなる。
【００３３】
以上の説明した理由で、２個の滑り止め加工部１６，１６を設けると共に、滑り止め加工部１６，１６に対応した各臨界スキュー角θｃｒがミスアライメントθより大きく設定されていることによって、ガイドロール１０の回転に対して必要な摩擦力を確保しながら、ガイドロール１０，２２間のミスアライメントθによる皺の発生を防止できる。
【００３４】
ところで、本実施例のガイドロール１０においては、間隙２０を設けることにより、２個の滑り止め加工部１６を設けているが、間隙２０の長さｘは、図３に示すようにウエブＷの皺の最大幅ｙよりも大きければよいが、加工精度の問題から１ｃｍ〜１０ｃｍが好適である。ｘ＞ｙにする理由は、皺の最大幅ｙより間隙ｘが小さいと、ウエブＷが２個の滑り止め加工部１６，１６を１つの滑り止め加工部として接触するためである。なお、滑り止め加工部１６，１６に刻設された溝の間隔は１〜５００ミクロンであり、前記間隔２０よりも充分に小さい。
【００３５】
（３）効果
本実施例によれば、２個の滑り止め加工部１６，１６を設けると共に、滑り止め加工部１６，１６に対応した各臨界スキュー角θｃｒが、ガイドロール１０，２２間のミスアライメントθより大きく設定されているので、ミスアライメントθによる皺の発生を防止できる。
【００３６】
また、ガイドロール１０であると、滑り止め加工部１６，１６の幅方向の長さＭ１，Ｍ２の合計Ｍ１＋Ｍ２＝Ｍは、ロール本体１２の全幅Ｍ０の２０〜７０％に設定しているため、ガイドロール１０とウエブＷの間に必要な摩擦力が確保され、ガイドロール１０とウエブＷとの間に滑りが生じず、ウエブＷが傷つくことがない。
【００３７】
また、滑り止め加工部１６，１６は、ガイドロール１０の幅方向における中心に関して左右対称に設けられているので、ウエブＷの走行中に左右にぶれたりすることがない。
【００３８】
また、ガイドロール１０の両側部１８，１８は、平滑なメッキ加工を施しているため、その部分における摩擦力が少なくなり、ウエブＷやこのウエブＷを搬送する装置に歪みがあっても、両側部１８，１８の摩擦力が少ないため幅方向にずれて、歪みによる皺が発生しない。
【００３９】
（４）変更例
本発明は上記各実施例に限らず、その主旨を逸脱しない限り種々に変更することができる。
【００４０】
上記実施例では、滑り止め加工部１６を２個設けたが、これに限らず、変更例１では、図４に示すように、間隙２０を２個設け、滑り止め加工部１６を３個設けている。この場合にも、上記実施例と同様に、滑り止め加工部１６，１６，１６の合計の長さＭ１＋Ｍ２＋Ｍ３＝Ｍが、ロール本体１２の全幅Ｍ０に対し２０〜７０％の範囲にあればよい。また、滑り止め加工部１６，１６，１６を設ける位置も、上記実施例と同様に、ガイドロール１０の幅方向における中心に関して左右対称に設ける。
【００４１】
上記実施例では、滑り止め加工部１６における溝は螺旋状の溝を設けたが、これに限らず、変更例２では、図５に示すような平行な溝を設けている。
【００４２】
変更例３では、図６に示すような中央部を対称にした螺旋状の溝を設けている。
【００４３】
変更例４では、図７に示すような格子状の溝を設けている。
【００４４】
変更例５では、滑り止め加工部１６は、図８に示すような梨地状に加工を施している。
【符号の説明】
【００４５】
１０  ガイドロール
１２  ロール本体
１４  軸
１６  滑り止め加工部
１８  両側部
２０  間隔
【図１】
2011245411.tif 000003
【図２】
2011245411.tif 000004
【図３】
2011245411.tif 000005
【図４】
2011245411.tif 000006
【図５】
2011245411.tif 000007
【図６】
2011245411.tif 000008
【図７】
2011245411.tif 000009
【図８】
2011245411.tif 000010
【図９】
2011245411.tif 000011